(57)【特許請求の範囲】
【請求項１】
個人の個人的特徴を被照合データとして抽出し、ｎ（ｎ＝１，２，…）人の個人の認証用参照データを格納する携帯型情報処理装置の所有者である第１番目（ｎ＝１）の個人（以下、所有者とする）以外の第ｎ番目（ｎ≧２）の個人（以下、特定登録者とする）が前記所有者の許諾により、前記携帯型情報処理装置を利用可能とするための登録及び利用不可能とするための登録の抹消を行う装置において、
認証機能を有する携帯型情報処理装置と、
当該携帯型情報処理装置との通信を介して、当該携帯型情報処理装置内の情報の読み込み及び書き込みを行う読み込み／書き込み装置とを有する、
ことを特徴とする携帯型情報処理システム装置。
【請求項２】
前記携帯型情報処理装置は、
個人の個人的特徴を被照合データとして抽出する被照合データ入力部と、
ｎ（ｎ＝１，２，…）人の異なる個人の個人的特徴を認証用参照データとして順次格納する不揮発メモリと、
前記被照合データ入力部から取得した前記被照合データと格納された前記認証用参照データとを照合処理する演算処理部とを有する、
ことを特徴とする請求項１に記載の携帯型情報処理システム装置。
【請求項３】
前記携帯型情報処理装置は、
前記読み込み／書き込み装置と通信を行う通信インターフェースを有する、
ことを特徴とする請求項２に記載の携帯型情報処理システム装置。
【請求項４】
前記携帯型情報処理装置は、
前記所有者の認証用参照データを格納するＲＯＭを有し、
前記不揮発メモリは、
前記特定登録者の認証用参照データを格納する機能を有する、
ことを特徴とする請求項２又は３に記載の携帯型情報処理システム装置。
【請求項５】
前記携帯型情報処理装置は、
揮発性の情報を記憶する主記憶部と、
電力を供給する電力供給部と、
それぞれの部材の基体である装置基体とを有する、
ことを特徴とする請求項２、３又は４に記載の携帯型情報処理システム装置。
【請求項６】
前記演算処理部、前記ＲＯＭ及び前記主記憶部は、
１チップとして一体形成される、
ことを特徴とする請求項５に記載の携帯型情報処理システム装置。
【請求項７】
前記不揮発メモリは、
追記型である、
ことを特徴とする請求項２、３、４、５又は６に記載の携帯型情報処理システム装置。
【請求項８】
前記読み込み／書き込み装置は、
認証の可否及び完了を表示するとともに、格納された前記特定登録者の情報を表示する表示部と、
既に登録された既特定登録者の中から前記所有者が抹消しようとする既特定登録者を検索するための特定登録者検索ボタンと、
当該特定登録者検索ボタンにより検索した既特定登録者を選択決定する特定登録者選択ボタンとを有する、
ことを特徴とする請求項１、２、３、４、５、６又は７に記載の携帯型情報処理システム装置。
【請求項９】
前記携帯型情報処理装置は、
認証の可否及び完了を表示するとともに、格納された前記特定登録者の情報を表示する表示部と、
既に登録された既特定登録者の中から前記所有者が抹消しようとする既特定登録者を検索するための特定登録者検索ボタンと、
前記特定登録者検索ボタンにより検索した既特定登録者を選択決定する特定登録者選択ボタンとを有する、
ことを特徴とする請求項２、４、５、６又は７に記載の携帯型情報処理システム装置。
【請求項１０】
前記特定登録者検索ボタンは、
当該特定登録者検索ボタンを押す毎に次々と既特定登録者名が前記表示部に表示される機能を有する、
ことを特徴とする請求項８又は９に記載の携帯型情報処理システム装置。
【請求項１１】
前記被照合データ入力部は、
それぞれ個人の身体的特徴である指紋を読み取る指紋センサ、音声の声紋を読み取る声紋センサ、手書き文字を読み取る手書き文字認識センサ、虹彩を読み取る虹彩センサ、非身体的特徴である暗証番号を読み取る暗証番号入力部、パスワードを読み取るパスワード入力部のいずれか又はこれらの組み合わせである、
ことを特徴とする請求項２、３、４、５、６、７、８、９又は１０に記載の携帯型情報処理システム装置。
【請求項１２】
前記携帯型情報処理装置は、
電源の入切を行うスイッチである電源スイッチを有する、
ことを特徴とする請求項２、３、４、５、６、７、８、９、１０又は１１に記載の携帯型情報処理システム装置。
【請求項１３】
前記通信は、
無線通信、有線通信及びこれらの組合せのうちの１つである、
ことを特徴とする請求項１、２、３、４、５、６、７、８、１０、１１又は１２に記載の携帯型情報処理システム装置。
【請求項１４】
前記携帯型情報処理装置は、
前記読み込み／書き込み装置にセットした状態で自動的に電源を入れる電源自動スイッチを有する、
ことを特徴とする請求項２、３、４、５、６、７、８、１０、１１又は１３に記載の携帯型情報処理システム装置。
【請求項１５】
前記セットは、
前記携帯型情報処理装置を前記読み込み／書き込み装置に近づける又は接触させる又は差し込むことのうちのいずれかにより行う、
ことを特徴とする請求項１４に記載の携帯型情報処理システム装置。
【請求項１６】
前記携帯型情報処理装置は、
利用するサービスを選択することができる受益サービス選択部を有する、
ことを特徴とする請求項１、２、３、４、５、６、7、８、９、１０、１１、１２、１３、１４又は１５に記載の携帯型情報処理システム装置。
【請求項１７】
前記携帯型情報処理装置は、
ＩＣカードの機能を有する、
ことを特徴とする請求項１、２、３、４、５、６、７、８、９、１０、１１、１２、１３、１４、１５又は１６に記載の携帯型情報処理システム装置。
【発明の詳細な説明】
【０００１】
【発明の属する技術分野】
本発明は、利用者の正当性を同定確認するための個人認証機構を実装したＩＣカード等の携帯型情報処理装置に関わり、特に当該携帯型情報処理装置の使用権又は当該携帯型情報処理装置に格納された情報に対するアクセス権を特定の複数人のみで共有ならしめるための携帯型情報処理システム装置に関するものである。
【０００２】
【従来の技術】
近年、通信機器の小型化・低価格化に伴い、個人を主体とした種々の通信要求を可能にする情報通信のパーソナル化が進展している。一方、通信ネットワークが扱う情報も、金銭や秘匿性の高い個人情報が今後増大すると見られ、そのために情報通信システムに対する信頼性や安全性、特に犯罪や悪用等の意図的不正に対するセキュリティ対策が一層重要になっている。
【０００３】
このような情報通信のパーソナル化の中で秘匿性の高い個人情報を安全かつ大量に格納・処理できるＩＣカード上に指紋など個人の身体的特徴を用いた個人認証機能を搭載し、ＩＣカードの所有者と使用者の照合を行う個人認証付きＩＣカードの利用が文献「個人認証技術と通信システムへの応用に関する研究調査報告書，平成５年３月，郵政省郵政研究所」で提唱されている。
【０００４】
ＩＣカードに個人認証機能を搭載する意義は、ＩＣカードの利用者の正当性、即ちＩＣカードの使用権並びにそのＩＣカードに格納された情報へのアクセス権を特定の個人のみに付与し他者の不正な使用を防ぐことにある。
【０００５】
従来、ＩＣカードを含む携帯型情報処理装置は、個人一人々々がそれぞれ異なる携帯型情報処理装置を所有することを前提としているため、携帯型情報処理装置に格納される情報は携帯型情報処理装置の所有者のみが利用可能なサービス情報又は所有者自身の個人情報等の秘匿性の高い情報である。従って、前記個人認証機能付きＩＣカードにおいても、ＩＣカードの所有者の個人認証を経たときのみ利用可能となる。
【０００６】
【発明が解決しようとする課題】
しかしながら、携帯型情報処理装置に格納された情報を所有者自身の権限において本人以外に利用を許諾する場合が考えられる。即ち、特定の個人（Ａとする）が所有する情報機器に対して、ＡがＡ以外の人物（Ｂ，Ｃ，…とする）に使用を許諾する場合、あるいはその機器のみに格納されたＡの個人情報に対して、ＡがＢ，Ｃ，…にそのアクセス権を許諾する場合がある。
【０００７】
例えば、今後、高い秘匿性を要する医療情報が電子化されると、個人が自分の医療データ、とりわけ緊急時における処方データを個人認証機能付き携帯情報端末に格納して携行し、緊急時に対処する医療サービスが想定されるが、事故等で本人が意識を失っていると、周囲の医療従事者は本人の処方データを引き出せず適切な医療が施せなくなる畏れがある。このように個人認証という高度なセキュリティ機能が本サービスの利便性を阻害する要因にも成り得る。
【０００８】
一方、個人Ａが出先等で収集した秘匿性の高いデータをＡの所有する個人認証機能付き携帯情報端末に格納し、後にそのデータをＡが許諾した特定のメンバー間で共有する場合、Ａの個人認証を経ない限りメンバー間での情報の共有は不可能となり、その後の作業の円滑な遂行を阻害する事態となる。
【０００９】
このように、個人認証機能は特定の個人以外への情報の漏洩を防止する上では有効な手段であるが、情報を共有化するに際してはその利便性が阻害されるという問題が生じる。この時、Ｂ，Ｃ，…の各々が各自の携帯情報端末にＡの取得情報を移植する方法も考えられるが、この場合には、Ｂ，Ｃ，…から更に第三者にＡの取得情報が移植される畏れがあり、これをＡ自身が把握できないという問題がある。
【００１０】
ここにおいて、本発明の解決すべき主要な目的は次の通りである。
【００１１】
本発明の第１の目的は、携帯型情報処理装置を所有者以外の複数の特定利用者が利用をすることができる携帯型情報処理システム装置を提供せんとするものである。
【００１２】
本発明の第２の目的は、携帯型情報処理装置の所有者自身の権限で他の利用者である特定登録者を登録することができる携帯型情報処理システム装置を提供せんとするものである。
【００１３】
本発明の第３の目的は、携帯型情報処理装置の所有者自身の権限で他の利用者である既特定登録者を抹消することができる携帯型情報処理システム装置を提供せんとするものである。
【００１４】
本発明のその他の目的は、明細書、図面、特に特許請求の範囲の各請求項の記載から自ずと明らかとなろう。
【００１５】
【課題を解決するための手段】
本発明は、上記課題の解決に当たり、個人の認証機能を有し、他の複数の特定個人の認証用参照データを格納する携帯型情報処理装置と、当該携帯型情報処理装置に格納された情報の読み込み及び書き込みを行う読み込み／書き込み装置を有する手段を講じた特徴を有する。
【００１６】
更に具体的詳細に述べると、当該課題の解決では、本発明が次に列挙する上位概念から下位概念に亙る新規な特徴的構成手段を採用することにより、前記目的を達成するよう為される。
【００１７】
即ち、本発明装置の第１の特徴は、個人の個人的特徴を被照合データとして抽出し、ｎ（ｎ＝１，２，…）人の個人の認証用参照データを格納する携帯型情報処理装置の所有者である第１番目（ｎ＝１）の個人（以下、所有者とする）以外の第ｎ番目（ｎ≧２）の個人（以下、特定登録者とする）が前記所有者の許諾により、前記携帯型情報処理装置を利用可能とするための登録及び利用不可能とするための登録の抹消を行う装置において、認証機能を有する携帯型情報処理装置と、当該携帯型情報処理装置との通信を介して、当該携帯型情報処理装置内の情報の読み込み及び書き込みを行う読み込み／書き込み装置とを有してなる携帯型情報処理システム装置の構成採用にある。
【００１８】
本発明装置の第２の特徴は、上記本発明装置の第１の特徴における前記携帯型情報処理装置が、個人の個人的特徴を被照合データとして抽出する被照合データ入力部と、ｎ（ｎ＝１，２，…）人の異なる個人の個人的特徴を認証用参照データとして順次格納する不揮発メモリと、前記被照合データ入力部から取得した前記被照合データと格納された前記認証用参照データとを照合処理する演算処理部とを有してなる携帯型情報処理システム装置の構成採用にある。
【００１９】
本発明装置の第３の特徴は、上記本発明装置の第２の特徴における前記携帯型情報処理装置が、前記読み込み／書き込み装置と通信を行う通信インターフェースを有してなる携帯型情報処理システム装置の構成採用にある。
【００２０】
本発明装置の第４の特徴は、上記本発明装置の第２又は第３の特徴における前記携帯型情報処理装置が、前記所有者の認証用参照データを格納するＲＯＭを有し、前記不揮発メモリが、前記特定登録者の認証用参照データを格納する機能を有してなる携帯型情報処理システム装置の構成採用にある。
【００２１】
本発明装置の第５の特徴は、上記本発明装置の第２、第３又は第４の特徴における前記携帯型情報処理装置が、揮発性の情報を記憶する主記憶部と、電力を供給する電力供給部と、それぞれの部材の基体である装置基体とを有してなる携帯型情報処理システム装置の構成採用にある。
【００２２】
本発明装置の第６の特徴は、上記本発明装置の第５の特徴における前記演算処理部、前記ＲＯＭ及び前記主記憶部が、１チップとして一体形成されてなる携帯型情報処理システム装置の構成採用にある。
【００２３】
本発明装置の第７の特徴は、上記本発明装置の第２、第３、第４、第５又は第６の特徴における前記不揮発メモリが、追記型である携帯型情報処理システム装置の構成採用にある。
【００２４】
本発明装置の第８の特徴は、上記本発明装置の第１、第２、第３、第４、第５、第６又は第７の特徴における前記読み込み／書き込み装置が、認証の可否及び完了を表示するとともに、格納された前記特定登録者の情報を表示する表示部と、既に登録された既特定登録者の中から抹消対象の既特定登録者を検索するための特定登録者検索ボタンと、当該特定登録者検索ボタンにより検索した前記抹消対象の既特定登録者を選択決定する特定登録者選択ボタンとを有してなる携帯型情報処理システム装置の構成採用にある。
【００２５】
本発明装置の第９の特徴は、上記本発明装置の第２、第４、第５、第６又は第７の特徴における前記携帯型情報処理装置が、認証の可否及び完了を表示するとともに、格納された前記特定登録者の情報を表示する表示部と、既に登録された既特定登録者の中から抹消対象の既特定登録者を検索するための特定登録者検索ボタンと、当該特定登録者検索ボタンにより検索した前記抹消対象の既特定登録者を選択決定する特定登録者選択ボタンとを有してなる携帯型情報処理システム装置の構成採用にある。
【００２６】
本発明装置の第１０の特徴は、上記本発明装置の第８又は第９の特徴における前記特定登録者検索ボタンが、当該特定登録者検索ボタンを押す毎に次々と既特定登録者名が前記表示部に表示される機能を有してなる携帯型情報処理システム装置の構成採用にある。
【００２７】
本発明装置の第１１の特徴は、上記本発明装置の第２、第３、第４、第５、第６、第７、第８、第９又は第１０の特徴における前記被照合データ入力部が、それぞれ個人の身体的特徴である指紋を読み取る指紋センサ、音声の声紋を読み取る声紋センサ、手書き文字を読み取る手書き文字認識センサ、虹彩を読み取る虹彩センサ、非身体的特徴である暗証番号を読み取る暗証番号入力部、パスワードを読み取るパスワード入力部のいずれか又はこれらの組み合わせである携帯型情報処理システム装置の構成採用にある。
【００２８】
本発明装置の第１２の特徴は、上記本発明装置の第２、第３、第４、第５、第６、第７、第８、第９、第１０又は第１１の特徴における前記携帯型情報処理装置が、電源の入切を行うスイッチである電源スイッチを有してなる携帯型情報処理システム装置の構成採用にある。
【００２９】
本発明装置の第１３の特徴は、上記本発明装置の第１、第２、第３、第４、第５、第６、第７、第８、第１０、第１１又は第１２の特徴における前記通信が、無線通信、有線通信及びこれらの組合せのうちの１つである携帯型情報処理システム装置の構成採用にある。
【００３０】
本発明装置の第１４の特徴は、上記本発明装置の第２、第３、第４、第５、第６、第７、第８、第１０、第１１又は第１３の特徴における前記携帯型情報処理装置が、前記読み込み／書き込み装置にセットした状態で自動的に電源を入れる電源自動スイッチを有してなる携帯型情報処理システム装置の構成採用にある。
【００３１】
本発明装置の第１５の特徴は、上記本発明装置の第１４の特徴における前記セットが、前記携帯型情報処理装置を前記読み込み／書き込み装置に近づける又は接触させる又は差し込むことのうちのいずれかにより行ってなる携帯型情報処理システム装置の構成採用にある。
【００３２】
本発明装置の第１６の特徴は、上記本発明装置の第１、第２、第３、第４、第５、第６、第７、第８、第９、第１０、第１１、第１２、第１３、第１４又は第１５の特徴における前記携帯型情報処理装置が、利用するサービスを選択することができる受益サービス選択部を有してなる携帯型情報処理システム装置の構成採用にある。
【００３３】
本発明装置の第１７の特徴は、上記本発明装置の第１、第２、第３、第４、第５、第６、第７、第８、第９、第１０、第１１、第１２、第１３、第１４、第１５又は第１６の特徴における前記携帯型情報処理装置が、ＩＣカードの機能を有してなる携帯型情報処理システム装置の構成採用にある。
【００３４】
【発明の実施の形態】
以下、本発明の実施の形態を図面を参照して説明する。
【００３５】
図１は、本実施の形態例である携帯型情報処理システム装置の構成図である。
【００３６】
本実施の形態例の携帯型情報処理システム装置αは、認証機能を有する携帯型情報処理装置であるＩＣカード１と、ＩＣカード１との通信を介してＩＣカード１内の情報の読み込み及び書き込みを行うリード／ライト（Ｒ／Ｗ）装置２からなる。
【００３７】
ＩＣカード１は、個人の個人的特徴をディジタルデータである被照合データとして抽出する被照合データ入力部３と、ｎ（ｎ＝１，２，…）人の他の異なる特定個人の個人的特徴をディジタルデータである認証用参照データとして順次格納できる不揮発メモリ４とを蔵有する。
【００３８】
ここで、ｎ＝１に相当する筆頭個人はＩＣカード所有者自身である。ＩＣカード所有者自身（ｎ＝１）の認証用参照データは、通常、ＩＣカード発行時において既に不変登録されており、本装置例におけるＲ／Ｗ装置２を用いて、ＩＣカード１上のＩＣカード所有者自身（ｎ＝１）の認証用参照データを抹消することはできない。
【００３９】
またＩＣカード１は他にも、被照合データ入力部３から取得した被照合データと不揮発メモリ４に格納された認証用参照データとを照合処理する演算処理部５と、情報を記憶する主記憶部６と、同じく主にプログラム情報を記憶するＲＯＭ７と、Ｒ／Ｗ装置２と通信を行う通信インターフェース８と、電力を供給する電力供給部９とを有し、それぞれの部材はカードの基体であるカード基板１０に実装される。
【００４０】
ここで、通常、ＩＣカード１は、演算処理部５、主記憶部６、ＲＯＭ７は１チップとして一体形成される場合がほとんどであるが、図１に示すように、ＩＣカード１では、分かり易いように分離して記載してある。
【００４１】
また、主記憶部６は、通常、揮発性のＲＡＭを使用するが、不揮発性のＦＲＡＭを用いることもでき、その場合は、主記憶部６を不揮発メモリ４の一部又は全部とみて、認証用参照データを記憶することができる。
【００４２】
また、ＲＯＭ７には、ＩＣカード１所有者の認証用参照データを記憶しておき、不揮発メモリ４には、当該所有者の許可を得たｎ＝２以降の個人である特定登録者（ｎ≧２）の認証用データを記憶させることもでき、ＩＣカード１所有者の認証用参照データの読み込みが必要な場合には、ＲＯＭ７から読み込む構成となる。
【００４３】
次に、Ｒ／Ｗ装置２は、自身にＩＣカード１をセットさせて、ＩＣカード１の通信インターフェース８を介して通信を行い、ＩＣカード１所有者の個人認証を得た後に読み取り及び書き込みを行う装置である。
【００４４】
Ｒ／Ｗ装置２は、認証の可否及び完了を表示するとともに、不揮発メモリ４に格納されたＩＣカード１の所有者（ｎ＝１）を除くｎ＝２以降（ｎ≧２）の特定登録者を表示する表示部１１と、既に登録された既特定登録者の中からＩＣカード１所有者が抹消しようとする抹消対象の既特定登録者を検索するための特定登録者検索ボタン１２と、特定登録者検索ボタン１２により検索した抹消対象の既特定登録者を選択決定する特定登録者選択ボタン１３とを蔵有する。
【００４５】
特定登録者検索ボタン１２は、例えば、当該ボタンを押す毎に次々と既特定登録者名が表示部１１に表示される機能を実現する。
【００４６】
また、被照合データ入力部３は、それぞれ個人の個人的特徴のうちの身体的特徴である、指紋を読み取る指紋センサ、音声の声紋を読み取る声紋センサ、手書き文字を読み取る手書き文字認識センサ、虹彩を読み取る虹彩センサ等、又はこれらの組合せにより構成されるものである。
【００４７】
また、前記個人的特徴は、身体的特徴によるものだけでなく、非身体的特徴である、暗証番号等の入力を行ってももちろんよい。
【００４８】
また、ＩＣカード１とＲ／Ｗ装置２の間の通信は、無線通信だけでなく、有線通信でもよく、例えば、無線通信の場合には、ＩＣカード１をＲ／Ｗ装置２に近づけて又は接触させること等によりセットするが、有線通信の場合には、ＩＣカード１をＲ／Ｗ装置２に接触差込むこと等によりセットする構造にする。勿論、有線通信と無線通信の両方を行うことができる構造にしてよい。
【００４９】
また、ＩＣカード１には、電源の入切を行うスイッチである電源スイッチ、又はＲ／Ｗ装置２にセットした状態で自動的に電源を入れる電源自動スイッチを設置してもよい。
【００５０】
また、本装置例は、認証に関わる部品を説明しており、その他のＩＣカード１の機能は自由に採る事ができる。例えば、ＩＣカード１に、利用するサービスを選択することができる受益サービス選択部を設置してもよい。
【００５１】
本実施の形態例の仕様は、前記のような具体的実施態様を呈するので、その動作処理手順を図１と、他に図２及び図３を参照して説明する。
図２は、図１に示した携帯型情報処理システム装置における認証用参照データの登録処理の手順を示したフローチャートであり、図３は、図１に示した携帯型情報処理システム装置における認証用参照データの抹消処理の手順を示したフローチャートである。
【００５２】
携帯型情報処理システム装置αのＩＣカード１への登録対象の特定登録者の認証用参照データの登録処理について図２を参照して説明する。ＩＣカード１の発行時にＩＣカード１所有者（ｎ＝１）の個人的特徴がディジタルデータとして格納されているものとし、ＩＣカード１所有者が、本人以外の特定登録者（ｎ≧２）の個人的特徴をディジタルデータとしてＩＣカード１に登録して、当該特定登録者に対して自らの所有するＩＣカード１の使用を許諾する際、先ず、ＩＣカード１をＲ／Ｗ装置２にセットしておく。
【００５３】
先ず、Ｒ／Ｗ装置２からＩＣカード１に所有者の個人認証要求をする（ステップＳＴ１）。この個人認証要求を受けて、被照合データ入力部３から個人的特徴を入力して、ＩＣカード１の被照合データ入力部３からの被照合データと、不揮発メモリ４からのＩＣカード１所有者の認証用参照データ（ｎ＝１）との照合を行うことにより、ＩＣカード１所有者の個人認証処理が行われる（ステップＳＴ２）。
【００５４】
ＩＣカード１上で当該個人認証結果が正常であるかどうかの判定を行い（ステップＳＴ３）、当該個人認証結果が正常の場合（判定がＹＥＳの場合）には、ＩＣカード１に対してのＲ／Ｗ装置２からの読み込み及び書き込みが可能な状態にし、表示部１１に特定登録者の認証用参照データの登録可能表示をする（ステップＳＴ４）。
【００５５】
続いて、Ｒ／Ｗ装置２から特定登録者の個人認証要求をする（ステップＳＴ５）。ＩＣカード１所有者の承諾を得て、ＩＣカード１上で前記特定登録者が被照合データ入力部３から個人的特徴を入力して、入力されたディジタルデータである前記特定登録者の認証用参照データを被照合データ入力部３から読み取り、ＩＣカード１の通信インターフェース８を介してＲ／Ｗ装置２へ転送する（ステップＳＴ６）。
【００５６】
続いて、Ｒ／Ｗ装置２は転送された前記特定登録者の認証用参照データをＩＣカード１へ書き込む（ステップＳＴ７）。正常に書き込みが行われた場合には、I ＣカードＲ／Ｗ装置２においては書き込み完了を表示部１１に表示して（ステップＳＴ８）、特定登録者の認証用参照データの登録処理を終了する。
【００５７】
なお、ステップＳＴ３で、ＩＣカード１所有者の個人認証結果が不正（失敗）に終わった場合（判定がＮＯの場合）には、Ｒ／Ｗ装置２の表示部１１においてＩＣカード１所有者の認証不可が表示され（ステップＳＴ９）、特定登録者の認証用参照データの登録処理を終了する。
【００５８】
次に、携帯型情報処理システム装置αのＩＣカード１への抹消対象の既特定登録者の認証用参照データの抹消処理について図３を参照して説明する。ＩＣカード１の発行時にＩＣカード１所有者（ｎ＝１）及び既特定登録者（ｎ≧２）のそれぞれ個人的特徴がディジタルデータとして格納されているものとし、ＩＣカード１所有者が、当該既特定登録者に対して自らの所有するＩＣカード１の使用許諾を抹消する際、先ず、ＩＣカード１をＲ／Ｗ装置２にセットしておく。
【００５９】
そして、Ｒ／Ｗ装置２からＩＣカード１所有者に個人認証要求をする（ステップＳＴ１ａ）。この個人認証要求を受けて、被照合データ入力部３から個人的特徴を入力して、ＩＣカード１の被照合データ入力部３からの被照合データと、不揮発メモリ４からのＩＣカード１所有者の認証用参照データ（ｎ＝１）との照合を行うことにより、ＩＣカード１所有者の個人認証処理が行われる（ステップＳＴ２ａ）。
【００６０】
ＩＣカード１上で当該個人認証結果が正常であるかどうかの判定を行い（ステップＳＴ３ａ）、当該個人認証結果が正常の場合（判定がＹＥＳの場合）には、ＩＣカード１に対してのＲ／Ｗ装置２からの読み込み及び書き込みが可能な状態にし、表示部１１に既特定登録者の認証用参照データの抹消登録可能表示をする（ステップＳＴ４ａ）。
【００６１】
続いて、ＩＣカード１からＲ／Ｗ装置２へ通信インターフェース８を介して前記既特定登録者情報を転送し、表示部１１へ表示する（ステップＳＴ５ａ）。そして、Ｒ／Ｗ装置２上でＩＣカード１所有者が登録を抹消しようとする前記既特定登録者を特定登録者検索ボタン１２を押して検索し（ステップＳＴ６ａ）、該当する当該既特定登録者が表示部１１に表示されたときに選択ボタン１３を押して選択決定する（ステップＳＴ７ａ）。
【００６２】
これにより、ＩＣカード１において該当する前記既特定登録者の認証用参照データがＩＣカード１より抹消される（ステップＳＴ８ａ）。正常に抹消処理が行われた場合には、Ｒ／Ｗ装置２の表示部１１において抹消完了を表示して（ステップＳＴ９ａ）、既特定登録者の認証用参照データの抹消処理を終了する。
【００６３】
なお、ステップＳＴ３で、ＩＣカード１所有者の個人認証結果が不正（失敗）に終わった場合（判定がＮＯの場合）には、Ｒ／Ｗ装置２の表示部１１においてＩＣカード１所有者の認証不可が表示され（ステップＳＴ１０ａ）、既特定登録者の認証用参照データの抹消処理を終了する。
【００６４】
このように、携帯型情報処理システム装置αにおいて、特定登録者の認証用参照データの登録処理、及び既特定登録者の認証用参照データの抹消処理を自在に行うことによって、ＩＣカード１所有者に認証された複数の特定登録者がＩＣカード１を利用することができ、またＩＣカード１所有者が利用者を減らすことができる。
【００６５】
なお、ＩＣカード１上の不揮発メモリ４は、特定登録者の認証用参照データを格納するために、追記型の不揮発メモリであるとし、登録を抹消する際には該当する抹消された認証用参照データを通常は読めなくするシーケンスの処理で代用しても、本装置例と同様の効果が得られるばかりでなく、追記登録の履歴を残せること、及び、抹消処理時に誤って抹消すべきでない特定登録者を抹消するという事故を回避することができる。
【００６６】
またなお、ＩＣカード１にＲ／Ｗ装置２の機能を一体具備したものにすることも容易に考えられる。その場合、例えば、ＩＣカード１では、通信インターフェース８を設置せず、表示部１１、特定登録者検索ボタン１２及び登録者選択ボタン１３を設置するような構造のシステム装置となり、上記の特定登録処理及び抹消処理をＩＣカード１自身で行う処理となる。
【００６７】
しかし、ＩＣカード１とＲ／Ｗ装置２を並有する携帯型情報処理システム装置αに比べて、ＩＣカード１にＲ／Ｗ装置２の機能を一体具備した装置では、ＩＣカード１の構成が複雑になり、また、登録処理及び抹消処理の頻度は随時頻繁にあるものではないので、ＩＣカード１に当該機能を付加するのは好ましくないという面もある。
【００６８】
本実施の形態例によれば、利用の都度個人認証処理を行うことに加えて、ＩＣカード１所有者の認証を経ない限り、第三者の認証用参照データの登録及び抹消は行えないので、ＩＣカード１所有者が許諾を与えてない者が不正に提供サービスを利用する畏れがない。
【００６９】
その結果、ＩＣカード１所有者が有する個人的な情報資源を、ＩＣカード１所有者自身が許諾した特定登録者に対してだけで共有することができ、なおかつ、ＩＣカード１所有者が必要と認める時にはいつでも既に登録してある第三者である既特定登録者の認証参照データを抹消することが可能である。
【００７０】
以上、本発明の実施の形態例につき説明したが、本発明は、必ずしも上述した手段にのみ限定されるものではなく、本発明にいう目的を達成し、本発明にいう効果を有する範囲内において、適宜に変更実施することが可能なものである。
【００７１】
【発明の効果】
以上説明したように、本発明によれば、携帯型情報処理システム装置において、携帯型情報処理装置の所有者の権限で特定登録者の登録及び抹消を行うことができて、当該携帯型情報処理装置の所有者に認証された複数の特定登録者が利用者として当該携帯型情報処理装置を利用することができる。
【図面の簡単な説明】
【図１】本発明の実施の形態例である携帯型情報処理システム装置の構成模式図である。
【図２】同上の携帯型情報処理システム装置における認証用参照データの登録処理の手順を示したフローチャートである。
【図３】同上の携帯型情報処理システム装置における認証用参照データの抹消処理の動作手順を示したフローチャートである。
【符号の説明】
α…携帯型情報処理システム装置
１…ＩＣカード
２…Ｒ／Ｗ装置
３…被照合データ入力部
４…不揮発メモリ
５…演算処理部
６…主記憶部
７…ＲＯＭ
８…通信インターフェース
９…電力供給部
１０…カード基板
１１…表示部
１２…特定登録者検索ボタン
１３…特定登録者選択ボタン
【図１】
0003547321.tif 000002
【図２】
0003547321.tif 000003
【図３】
0003547321.tif 000004